(57)【要約】【課題】  本発明の目的は、設定項目の設定値を設定する場合のユーザの操作性をより向上させることである。【解決手段】  所定の設定項目の設定値として設定可能な複数の設定値の候補にそれぞれ対応する表示手段上の位置への指示操作を受付ける受付手段と、受付手段が表示手段の候補に対応する位置への指示操作を受け付けると、複数の候補から指示操作の受付位置に対応する設定値を選択する選択手段と、複数の候補を含む第１の設定値群に対応する第１の範囲と、複数の設定値の候補を含む第２の設定値群に対応する第２の範囲とが互いに隣り合う状態において、第１の設定値群のうち、いずれが選択されても第１のガイダンスを表示し、第２の設定値群のうち、いずれが選択されても第２のガイダンスを表示するように制御する制御手段と、第１の範囲と第２の範囲との境を示すマークを表示するように制御する表示制御手段とを有することを特徴とする。【選択図】  図５
2018106554.tif 000002
【特許請求の範囲】
【請求項１】
所定の設定項目の設定値として設定可能な複数の設定値の候補にそれぞれ対応する表示手段上の位置への指示操作を受付ける受付手段と、
前記受付手段が前記表示手段の設定値の候補に対応する位置への指示操作を受け付けたことに応じて、前記複数の設定値の候補から前記指示操作を受付けた位置に対応する設定値を選択する選択手段と、
複数の設定値の候補を含む第１の設定値群に対応する第１の範囲と、複数の設定値の候補を含む第２の設定値群に対応する第２の範囲とが互いに隣り合う状態において、
前記第１の設定値群に含まれる設定値のうち、いずれの設定値が選択されても第１のガイダンスを表示し、前記第２の設定値群に含まれる設定値のうち、いずれの設定値が選択されても第２のガイダンスを表示するように制御する制御手段と、
前記表示手段において前記第１の範囲と前記第２の範囲との境を示すマークを表示するように制御する表示制御手段とを有することを特徴とする表示制御装置。
【請求項２】
撮像手段を有し、
前記選択手段に選択された設定値に基づいて前記撮像手段が撮像をすることを特徴とする請求項１に記載の表示制御装置。
【請求項３】
前記表示手段において前記第１の範囲を示す領域と、前記第２の範囲を示す領域は異なる表示形態で表示されることを特徴とする請求項１または２に記載の表示制御装置。
【請求項４】
前記第１の範囲と前記第２の範囲は前記表示手段に表示されるバー上の領域であることを特徴とする請求項１乃至３の何れか１項に記載の表示制御装置。
【請求項５】
前記第１の範囲と前記第２の範囲との境を示すマークは、前記バー上の目盛りであることを特徴とする請求項４に記載の表示制御装置。
【請求項６】
前記表示制御手段は、前記第１の範囲に含まれる複数の設定値の候補のうち、前記第１の範囲と前記第２の範囲の境にある設定値の候補ではない設定値の候補に対応する位置を示す表示はしないように制御することを特徴とする請求項１乃至５の何れか１項に記載の表示制御装置。
【請求項７】
前記所定の設定項目は撮影に関する設定項目であり、
前記第１のガイダンスと前記第２のガイダンスは設定された前記所定の設定項目の設定値での撮影に関するガイダンスであることを特徴とする請求項１乃至６の何れか１項に記載の表示制御装置。
【請求項８】
前記第１のガイダンスは撮像される画像に第１の効果がかかることを示すガイダンスであることを特徴とする請求項１乃至７の何れか１項に記載の表示制御装置。
【請求項９】
前記表示制御手段は、前記所定の設定項目の設定値が前記第１の設定値群と前記第２の設定値群とでは撮影される画像にかかる効果が異なることを示すアイテムを表示するように制御することを特徴とする請求項１乃至８の何れか１項に記載の表示制御装置。
【請求項１０】
前記表示制御手段は、第３の設定値群に対応する第３の範囲と前記第２の範囲との境を示すマークを表示するように制御することを特徴とする請求項１乃至９の何れか１項に記載の表示制御装置。
【請求項１１】
前記所定の設定項目はシャッター速度または絞り数値であることを特徴とする請求項１乃至１０の何れか１項に記載の表示制御装置。
【請求項１２】
前記所定の設定項目がシャッター速度である場合には、前記第１のガイダンスと前記第２のガイダンスには、動いているものの動きを止めた撮影ができること、一般的な撮影に適していること、流し撮りの効果があること、手ブレに注意が必要なこと、夜景に適していること、流動感を表現するのに適していること、三脚の使用の推奨のいずれかが含まれることを特徴とする請求項１乃至１１の何れか１項に記載の表示制御装置。
【請求項１３】
前記所定の設定項目が絞り数値である場合には、前記第１のガイダンスと前記第２のガイダンスには、背景をぼかした撮影ができること、一般的な撮影に適していること、背景までくっきり写ること、手ブレに注意が必要なこと、三脚の使用の推奨のいずれかが含まれることを特徴とする請求項１乃至１２の何れか１項に記載の表示制御装置。
【請求項１４】
選択された設定値に応じたガイダンスを表示する第１の表示モードと、前記ガイダンスを表示しない第２の表示モードとから表示モードを切り替え可能な切替手段をさらに有し、
前記表示制御手段は、表示モードが前記第２の表示モードのときは、前記第１の範囲と前記第２の範囲との境を示すマークを表示しないように制御することを特徴とする請求項１乃至１３の何れか１項に記載の表示制御装置。
【請求項１５】
撮影時の露出に関する設定値として設定可能な複数の設定値の候補にそれぞれ対応する表示手段上の位置への指示操作を受付ける受付手段と、
前記受付手段が前記表示手段の設定値の候補に対応する位置への指示操作を受け付けたことに応じて、前記複数の設定値の候補から前記指示操作を受付けた位置に対応する設定値を選択する選択手段と、
前記選択手段により選択された設定値に基づいた撮影をするように指示をする撮影指示手段と、
前記表示手段において隣り合う範囲である露出に関する第１の設定値の範囲と、露出に関する第２の設定値の範囲とのうち、
前記第１の設定値の範囲の設定値が選択されると、露出に関する第１のガイダンスを表示し、前記第２の設定値の範囲の設定値が選択されると露出に関する第２のガイダンスを表示するように制御する制御手段と、
前記表示手段において前記第１の設定値の範囲と前記第２の設定値の範囲との境に位置する設定値の位置を示すマークを表示するように制御する表示制御手段とを有することを特徴とする表示制御装置。
【請求項１６】
所定の設定項目の設定値として設定可能な複数の設定値の候補にそれぞれ対応する表示手段上の位置への指示操作を受付ける受付手段とを有する表示制御装置の制御方法であって、
前記受付手段が前記表示手段の設定値の候補に対応する位置への指示操作を受け付けたことに応じて、前記複数の設定値の候補から前記指示操作を受付けた位置に対応する設定値を選択する選択ステップと、
複数の設定値の候補を含む第１の設定値群に対応する第１の範囲と、複数の設定値の候補を含む第２の設定値群に対応する第２の範囲とが互いに隣り合う状態において、
前記第１の設定値群に含まれる設定値のうち、いずれの設定値が選択されても第１のガイダンスを表示し、前記第２の設定値群に含まれる設定値のうち、いずれの設定値が選択されても第２のガイダンスを表示するように制御する制御ステップと、
前記表示手段において前記第１の範囲と前記第２の範囲との境を示すマークを表示するように制御する表示制御ステップとを有することを特徴とする表示制御装置の制御方法。
【請求項１７】
撮影時の露出に関する設定値として設定可能な複数の設定値の候補にそれぞれ対応する表示手段上の位置への指示操作を受付ける受付手段とを有する表示制御装置の制御方法であって、
前記受付手段が前記表示手段の設定値の候補に対応する位置への指示操作を受け付けたことに応じて、前記複数の設定値の候補から前記指示操作を受付けた位置に対応する設定値を選択する選択ステップと、
前記選択ステップにおいて選択された設定値に基づいた撮影をするように指示をする撮影指示ステップと、
前記表示手段において隣り合う範囲である露出に関する第１の設定値の範囲と、露出に関する第２の設定値の範囲とのうち、
前記第１の設定値の範囲の設定値が選択されると、露出に関する第１のガイダンスを表示し、前記第２の設定値の範囲の設定値が選択されると露出に関する第２のガイダンスを表示するように制御する制御ステップと、
前記表示手段において前記第１の設定値の範囲と前記第２の設定値の範囲との境に位置する設定値の位置を示すマークを表示するように制御する表示制御ステップとを有することを特徴とする表示制御装置の制御方法。
【請求項１８】
コンピュータを、請求項１乃至１５のいずれか１項に記載された表示制御装置の各手段として機能させるためのプログラム。
【請求項１９】
コンピュータを、請求項１乃至１５のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置およびその制御方法に関し、特に設定された値に関するガイダンスを表示する技術に関する。
【背景技術】
【０００２】
バー上での操作により設定値を設定する方法が知られている。特許文献１には、被写体までの距離を示すバーにおいてカーソルを移動させると合焦位置を設定できることが開示されている。また選択された項目に関するガイダンスを表示する技術が知られている。特許文献２には、複数の異なる設定項目の１つが選択されると設定項目に関するガイダンスが所定時間表示されることが開示されている。
【先行技術文献】
【特許文献】
【０００３】
【特許文献１】特開２０１２−２３０２５８号公報
【特許文献２】特開２０１２−１６３６３１号公報
【発明の概要】
【発明が解決しようとする課題】
【０００４】
特許文献１のようにバー上での設定値の設定をする際に、特許文献２のように選択操作がされる度に、選択対象に関するガイダンスが変わるようにすると、実際にカーソルを移動するまでは、選択対象についてどのようなガイダンスが表示されるのか分からない。よって、ガイダンスに表示される効果や注意事項等の内容がどこで変わるのか分からないまま設定操作をしなければならず、カーソル操作の度にガイダンスを確認したり、ガイダンスを確認するためにカーソルを実際に動かしたりしなければならない。
【０００５】
本発明は、上記の課題に鑑み、設定項目の設定値を設定する場合のユーザの操作性をより向上させることを目的とする。
【課題を解決するための手段】
【０００６】
上記目的を達成するために、本発明の表示制御装置は、所定の設定項目の設定値として設定可能な複数の設定値の候補にそれぞれ対応する表示手段上の位置への指示操作を受付ける受付手段と、前記受付手段が前記表示手段の設定値の候補に対応する位置への指示操作を受け付けたことに応じて、前記複数の設定値の候補から前記指示操作を受付けた位置に対応する設定値を選択する選択手段と、複数の設定値の候補を含む第１の設定値群に対応する第１の範囲と、複数の設定値の候補を含む第２の設定値群に対応する第２の範囲とが互いに隣り合う状態において、前記第１の設定値群に含まれる設定値のうち、いずれの設定値が選択されても第１のガイダンスを表示し、前記第２の設定値群に含まれる設定値のうち、いずれの設定値が選択されても第２のガイダンスを表示するように制御する制御手段と、前記表示手段において前記第１の範囲と前記第２の範囲との境を示すマークを表示するように制御する表示制御手段とを有することを特徴とする。
【発明の効果】
【０００７】
本発明によれば、設定項目の設定値を設定する場合のユーザの操作性をより向上させることができる。
【図面の簡単な説明】
【０００８】
【図１】本発明の実施形態の構成を適用可能な装置の一例としてのデジタルカメラの外観図
【図２】本発明の実施形態の構成を適用可能な装置の一例としてのデジタルカメラの構成例を示すブロック図
【図３】表示ＵＩ（ユーザインターフェース）の表示処理を示すフローチャート
【図４】設定変更処理を示すフローチャート
【図５】やさしいＵＩでの設定値変更処理を示すフローチャート
【図６】ヒントガイド処理を示すフローチャート
【図７】測光ガイド処理を示すフローチャート
【図８】メニュー画面における表示ＵＩの設定画面
【図９】Ｔｖモードの時のやさしいＵＩの撮影画面の表示例
【図１０】Ａｖモードの時のやさしいＵＩの撮影画面の表示例
【図１１】Ｍモードの時のやさしいＵＩの撮影画面の表示例
【図１２】標準ＵＩにおけるＴｖモード、Ａｖモードの設定画面
【図１３】バーにおける設定可能位置の間隔を説明するための図
【図１４】ぼかしのヒントに関する表示例
【図１５】測光に関するガイダンスの表示例
【図１６】露出アンダーと露出オーバーの時の詳細ヒントを説明するための図
【発明を実施するための形態】
【０００９】
以下、図面を参照して本発明の好適な実施形態を説明する。
【００１０】
図１（ａ）、（ｂ）に本発明を適用可能な撮像装置の一実施形態としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する表示部である。表示部２８はタッチ操作を受付け（タッチ検出）可能なタッチパネル７０ａと重畳、もしくは一体となって設けられる。
【００１１】
シャッターボタン６１は撮影指示を行うための操作部である。モード切替スイッチ６０は各種モードを切り替えるための操作部である。メイン電子ダイヤル７１は回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は選択枠の移動や画像送りなどを行う回転操作部材である。十字キー７４は上、下、左、右部分をそれぞれ押し込み可能な４方向キーである。十字キー７４の押された部分に応じた操作が可能である。ＳＥＴボタン７５は、主に選択項目の決定などに用いられる押しボタンである。ＬＶボタン７８は、ライブビュー（以下、ＬＶ）のＯＮとＯＦＦを切り替えるボタンである。再生ボタン７９は、撮影モード（撮影画面）と再生モード（再生画面）とを切り替える操作ボタンである。Ｑボタン７６はクイック設定をするためのボタンであり、撮影画面においてＱボタン７６を押下すると設定値の一覧として表示されていた設定項目を選択可能になり、さらに設定項目を選択すると各設定項目の設定画面へと遷移することができるようになる。撮影モード中に再生ボタン７９を押下することで再生モードに移行し、記録媒体２００（図２に示す）に記録された画像のうち最新の画像を表示部２８に表示させることができる。電源スイッチ７２は、デジタルカメラ１００の電源のＯＮとＯＦＦとを切り替えるためのボタンである。シャッターボタン６１、メイン電子ダイヤル７１、電源スイッチ７２、サブ電子ダイヤル７３、十字キー７４、ＳＥＴボタン７５、ＬＶボタン７８、再生ボタン７９、Ｑボタン７６は、操作部７０に含まれる。接眼ファインダ１６はレンズユニット１５０を通して得た被写体の光学像の焦点や構図の確認を行うための覗き込み型のファインダーである。グリップ部９０は、ユーザがデジタルカメラ１００を構えた際に右手で握りやすい形状とした保持部である。
【００１２】
図２は、本実施形態によるデジタルカメラ１００の構成例を示すブロック図である。
【００１３】
図２において、レンズユニット１５０は、交換可能な撮影レンズを搭載するレンズユニットである。
【００１４】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞りの制御を行い、ＡＦ駆動回路３を介して、レンズ１０３の位置を変位させることで焦点を合わせる。レンズユニット１５０を装着可能な装着部を介してレンズユニット１５０は表示部２８のある本体側に装着され、レンズユニットは単焦点やズームレンズなどの様々な種類のものを装着することができる。
【００１５】
ＡＥセンサー１７は、レンズユニット１５０、クイックリターンミラー１２を通しフォーカシングスクリーン１３上に結像した被写体の輝度を測光する。
【００１６】
焦点検出部１１（ＡＦセンサー）は、クイックリターンミラー１２を介して入射する像を撮像しシステム制御部５０にデフォーカス量情報を出力する位相差検出方式のＡＦセンサーである。システム制御部５０は前記デフォーカス量情報に基づいてレンズユニット１５０を制御し、位相差ＡＦを行う。ＡＦの方法は、位相差ＡＦでなくてもよく、コントラストＡＦでもよい。また、移動差ＡＦは焦点検出部１１を用いずに、撮像部２２の撮像面で検出されたデフォーカス量に基づいて行ってもよい（撮像面位相差ＡＦ）。
【００１７】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１８】
撮影者は、ペンタプリズム１４とファインダ１６を介して、フォーカシングスクリーン１３上に結像した像を観察することで、レンズユニット１５０を通して得た被写体の光学像の焦点状態や構図の確認が可能となる。
【００１９】
フォーカルプレーンシャッター１０１（シャッター１０１）は、システム制御部５０の制御で撮像部２２の露光時間を制御するためのものである。
【００２０】
撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。メモリ３２は、メモリカードなどの着脱可能な記録媒体でも、内蔵メモリであってもよい。
【００２３】
表示部２８は画像を表示するための背面モニタであり、図１（ｂ）に示すようにデジタルカメラ１００の背面に設けられている。Ｄ／Ａ変換器１９は、メモリ３２に格納されている画像表示用のデータをアナログ信号に変換して表示部２８に供給する。画像を表示するディスプレイであれば液晶方式に限らず、有機ＥＬなど他の方式のディスプレイであってもよい。
【００２４】
不揮発性メモリ５６は、システム制御部５０によって電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２５】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２では、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。
【００２６】
モード切替スイッチ６０は、システム制御部５０の動作モードをかんたん撮影ゾーンと応用撮影ゾーンのある静止画撮影モード、動画撮影モード、等のいずれかに切り替える。静止画撮影モードのうちのかんたん撮影ゾーンには、カメラ側でシーンの判定や設定値を設定する全自動モード、撮影の仕上がりを設定するとカメラ側で設定値を設定するクリエイティブモード、ポートレートモード、風景モード、マクロモード等が含まれる。応用撮影ゾーンには、Ｐモード（プログラムＡＥ）、Ｍモード（マニュアル）、Ａｖモード（絞り優先ＡＥ）、Ｔｖモード（シャッター優先ＡＥ）等が含まれる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。Ａｖモードでは、絞り数値をユーザが設定でき、測光結果によって適切な露出になるようにシャッター速度やＩＳＯ感度を自動調整して撮影を行う。Ｔｖモードでは、シャッター速度をユーザが設定でき、測光結果によって適切な露出になるように絞り数値やＩＳＯ感度を自動調整して撮影を行う。Ｍモードでは、絞り数値、シャッター速度、ＩＳＯ感度をユーザが設定でき、ユーザ目的の露出で撮影を行う。
【００２７】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。またＡＥセンサー１７による測光も行う。
【００２８】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２はデジタルカメラ１００の電源を切り替えるためのスイッチである。
【００３０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３１】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出できる。
【００３２】
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３３】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。さらにタッチオン状態で所定以上の圧力がタッチパネル上にかかる押圧状態も検出できてもよい。
【００３４】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３５】
次に図３を用いて本実施形態のける表示ＵＩ（ユーザインターフェース）の表示処理について説明する。この処理は、不揮発性メモリ５６に記録されたプログラムをシステムメモリ５２に展開してシステム制御部５０が実行することで実現する。なお、この処理は、デジタルカメラ１００に電源が入り、表示部２８への撮影画面（設定項目の一覧画面、設定画面）の表示が可能になる、もしくは再生ボタンが操作され（再生モードから）撮影モードに切り替わると開始する。
【００３６】
Ｓ３０１では、システム制御部５０は、現在の表示ＵＩ情報（表示モード情報）と、撮影モード情報とを不揮発性メモリ５６から取得する。表示ＵＩ情報には、ユーザに設定された現在の表示ＵＩの情報が含まれている。本実施形態においては、入門レベルのユーザが分かりやすくデジタルカメラ１００を操作できるようにした表示ＵＩのやさしいＵＩと、入門レベルからステップアップしたユーザに向けた表示ＵＩの標準ＵＩのいずれかからユーザが選択することができる。撮影モード情報には、モード切替スイッチ６０等で設定された現在の撮影モードが含まれている。
【００３７】
Ｓ３０２では、システム制御部５０は、現在の撮影画面用（表示画面）の表示ＵＩの設定がやさしいＵＩになっているか否かを判定する。表示ＵＩがやさしいＵＩに設定されていると判定した場合は、Ｓ３０３へ進み、そうでない場合は、Ｓ３０４へ進む。
【００３８】
Ｓ３０３では、システム制御部５０は、Ｓ３０１で取得した撮影モード情報に基づいて、設定されている撮影モード別の撮影画面用のやさしいＵＩの表示を行う。やさしいＵＩの表示については、図９〜図１１を用いて説明する。図９（ａ）の設定画面９０１はＴｖモードの時のやさしいＵＩの撮影画面の表示例である。図９（ａ）において、アイテム９０２はシャッター速度を示すアイテムであり、アイテム９０２のバー９１７上に示された指標９０２ａは設定値を示している。アイテム９０２に示すバー９１７は、標準ＵＩの撮影画面においてシャッター速度を選択し、子画面に遷移すると表示されるものと同様の情報であるが、やさしいＵＩでは子画面に遷移する前から表示される。さらにアイテム９０３は露出補正、アイテム９０４はドライブモード、アイテム９０５は測距エリア選択モード、アイテム９０６はＡＦ動作について設定するアイテムを示している。図９（ａ）のアイテム９０３〜９０６は、設定中の設定値を示すマークを含んでおり、例えば図９（ａ）のアイテム９０３には露出補正がプラスマイナス０に設定されていることを示している。やさしいＵＩでは、メイン設定項目について選択する操作を行わなくても、アイテム９０２のように設定値を設定するためのバーが含まれた状態で表示がされるので、ユーザはＴｖモードではシャッター速度の設定値を変更すればよいことが分かる。また、アイテム９０２のバー９１７の端には、シャッター速度が遅くなる方の位置に人が止まっているように見える絵と「止める」という文字列（文章）を含むガイダンス（ガイダンス９２３、解説）を表示する。シャッター速度が早くなる方の位置には人が流れているように見える絵と「流す」という文字列を含むガイダンス（ガイダンス９２４）を表示している。さらに、シャッター速度の設定操作（ダイヤル操作、タッチ操作）中には、図９（ｂ）のように、シャッター速度が小さくなる方に速いということを示したアイテム９２６や、シャッター速度が大きくなる方に遅いということを示したアイテム９２５を表示する。
【００３９】
次に、Ａｖモードの時の撮影画面について説明する。図１０（ａ）の設定画面１００１はＡｖモードの時のやさしいＵＩの撮影画面の表示例である。図１０（ａ）においては図９（ａ）とは異なり、メイン設定項目が絞り数値なので、アイテム１００２には絞り数値を設定するためのバー１０１５が含まれる。図１０（ａ）の設定画面１００１では、Ｔｖモードと同様にアイテム９０３〜９０６が表示されている。また、アイテム１００２のバー１０１５の端には、絞り数値度が小さくなる（開放）なる方の位置に絵のアウトラインがぼけている絵と「ぼかす」という文字列を含むガイダンス（ガイダンス１００６）を表示する。絞り数値が大きくなる方の位置には絵のアウトラインがくっきりとしている絵と「くっきり」という文字列を含むガイダンス（ガイダンス１００７）を表示している。設定値を示す数字（図１０（ａ）においてはＦ５．６）は絞りを示すアイテム１００８と共に表示され、例えば、絞り数値が開放に近づくと図１０（ｂ）のアイテム１００８の表示形態が絞りをより開いたような表示形態になる。また、絞り数値の設定操作（ダイヤル操作、タッチ操作）中には、図１０（ｂ）のように、バー１０１５の絞り数値の開放側には「開ける」という文字列を含むガイダンス（ガイダンス１０１３）を表示している。また、絞り数値の大きい数値の方には「絞る」という文字列を含むガイダンス（ガイダンス１０１４）を表示し、絞り数値の設定値に関する名称を表示している。
【００４０】
次に、Ｍモードの時の撮影画面について説明する。図１１（ａ）の設定画面１１０１はＭモードの時のやさしいＵＩの撮影画面の表示例である。図１１（ａ）においては図９（ａ）、図１０（ａ）とは異なりメイン設定項目が１つではなく、シャッター速度、絞り数値、ＩＳＯ感度である。Ｍモードにおいては、シャッター速度を示すアイテム１１０２、絞り数値を示すアイテム１１０３、ＩＳＯ感度を示すアイテム１１０４が表示されており、ＴｖモードやＡｖモードと同様にアイテム９０３〜９０６が表示されている。アイテム１１０２〜アイテム１１０４は設定中の設定値（１１０２ｂ〜１１０４ｂ）とバーと共に表示されており、各バー上の指標１１０２ａ〜１１０４ａは設定値を示している。このようにＭモードの撮影画面においては３つの項目のバーが表示される。また、やさしいＵＩの撮影画面は、白色系の親しみのある色（色味）で背景は表示がされる。
【００４１】
Ｓ３０４では、システム制御部５０は、Ｓ３０１で取得した撮影モード情報に基づいて、設定されている撮影モード別の撮影画面用の標準ＵＩの表示を行う。標準ＵＩの表示については、図１２（ａ）、（ｂ）を用いて説明する。図１２（ａ）の設定画面１２０１は標準ＵＩにおけるＴｖモードの設定画面、図１２（ｂ）の設定画面１２３９は標準ＵＩにおけるＡｖモードの設定画面を示している。設定画面１２０１において設定値を示すアイテムがアイテム１２０２〜１２１３までの１２個表示されており、設定画面１２３９において設定値を示すアイテムがアイテム１２１６〜１２２９までの１４個表示されている。各アイテムの機能は、アイテム１２０２はシャッター速度、アイテム１２０３（１２１６）は絞り数値、アイテム１２０４（１２１７）はＩＳＯ感度、アイテム１２０５（１２１８）は露出補正、アイテム１２１９は調光補正である。アイテム１２０６（１２２０）はピクチャースタイル、アイテム１２０７（１２２１）はホワイトバランス、アイテム１２２２はホワイトバランス補正、アイテム１２０８（１２２３）はオートライティンググオプティマイザである。アイテム１２２４は内蔵ストロボ機能設定、アイテム１２０９（１２２５）はＡＦモード、アイテム１２１０（１２２６）は測距エリア選択モードである。アイテム１２１１（１２２７）は測光モード、アイテム１２１２（１２２８）はドライブモード、アイテム１２１３（１２２９）は記録画質である。図１２（ａ）、（ｂ）のように、各アイテムが並んでいる画面においてＱボタン１２１５を選択すると、各アイテムの設定値を変更可能な状態になる。図１２（ｂ）の設定画面１２３９においてＱボタン１２１５を選択し、各設定値を変更可能な状態になると、図１２（ｃ）の設定画面１２３９ように選択中のアイテムにはカーソル１２３０が表示され、その他のアイテムには枠１２３１が表示される。カーソル１２３０の当たっている項目についてはガイダンス１２３２が表示される。図１２（ｃ）のアイテム１２１４（戻るボタン）を選択すると各アイテムが選択可能な状態が解除され、設定値の一覧画面になる。Ｑボタン１２１５を選択した後、カーソルはメイン設定項目（Ｔｖモードならアイテム１２０２、Ａｖモードならアイテム１２１６）に当たる。また標準ＵＩは黒色系で背景が表示される。
【００４２】
Ｓ３０５では、システム制御部５０は、撮影画面用のやさしいＵＩと標準ＵＩの切り替え操作がされたか否かを判定する。表示ＵＩの切り替え操作は、メニューボタンの押下により表示されるメニュー画面において行うことができる。図８（ａ）〜（ｃ）にはメニュー画面における表示ＵＩの設定画面を示す。図８（ａ）に示す表示レベル設定画面８０３では表示ＵＩの設定が可能であり、撮影に関する設定項目の一覧を表示した撮影画面用の表示ＵＩと、メニュー表示用の表示ＵＩとそれぞれ設定可能である。表示レベル設定画面８０３には、撮影画面用の表示ＵＩを設定するためのメニュー項目８０１と、メニュー表示用の表示ＵＩを設定するためのメニュー項目８０２とが表示される。メニュー項目８０１を選択すると、図８（ｂ）、（ｃ）に示す撮影画面用の表示ＵＩ設定画面８０４が表示される。メニュー項目８０５はやさしいＵＩ、メニュー項目８０６は標準ＵＩを設定するためのメニュー項目である。メニュー項目８０５にカーソルがあたると表示例８０７が表示され、メニュー項目８０６にカーソルがあたると表示例８０８が表示される。メニュー表示用の表示ＵＩも同様にやさしいＵＩと標準ＵＩとを切り替えることができるが、後述する実施形態においては、撮影画面用の表示ＵＩについて主に説明する。また、設定された表示ＵＩは、撮影画面用とメニュー表示用とでそれぞれ不揮発性メモリ５６に記憶される。撮影画面用のＵＩの切り替えがされたと判定した場合は、Ｓ３０２へ進み、そうでない場合は、Ｓ３０６へ進む。
【００４３】
Ｓ３０６では、システム制御部５０は、撮影モードの変更操作がされたか否かを判定する。撮影モードの変更はモード切替スイッチ６０の回転操作やメニュー画面での操作によって行うことができる。撮影モードの変更操作がされたと判定した場合は、Ｓ３０７へ進み、そうでない場合は、Ｓ３０８へ進む。
【００４４】
Ｓ３０７では、システム制御部５０は、Ｓ３０６で設定された撮影モードへと変更し、不揮発性メモリ５６に記録する。また、変更後の撮影モードに合わせたＵＩ表示へと更新する（Ｓ３０３またはＳ３０４）。
【００４５】
Ｓ３０８では、システム制御部５０は、測光指示がされたか否かを判定する。測光指示は、シャッターボタン６１の半押しによって行うことができる。なお、不図示のＡＥロックボタン（露出を固定するためのボタン）、絞り込みボタン（撮影前にレンズの絞り込みをするためのボタン）の押下によっても行うことができる。測光指示がされたと判定された場合には、測光が終了した後にＳ３０９へ進み、そうでない場合は、Ｓ３１０へ進む。
【００４６】
Ｓ３０９では、システム制御部５０は、測光ガイド処理を行う。測光ガイド処理については図７を用いて後述する。
【００４７】
Ｓ３１０では、システム制御部５０は、撮影指示がされたか否かを判定する。撮影指示は、シャッターボタン６１の全押しによって行うことができる。撮影指示がされたと判定された場合は、Ｓ３１１へ進み、そうでない場合は、Ｓ３１２へ進む。なお、Ｓ３０８においてシャッターボタン６１の半押し以外の操作で測光指示がされた後にＳ３１０に進んだ場合には、シャッターボタン６１の半押しの操作（全押しの途中の状態）がされても測光処理は行わない。
【００４８】
Ｓ３１１では、システム制御部５０は、後述する設定変更処理（やさしいＵＩでの設定値変更処理を含む）で設定された設定内容に基づいて撮影処理を行う。Ｓ３１１では、Ｓ３０９の測光結果に基づいた露出やＡＦ位置での撮影を行う。設定値により背景がぼけている撮像画像や、被写体が流動するようになっている撮像画像などが得られる。
【００４９】
Ｓ３１２では、システム制御部５０は、Ｑボタンが選択されたか否かを判定する。Ｑボタンの選択は、表示されたＱボタン（例えば図９（ａ）のＱボタンを示すアイテム９２８）へのタッチ、もしくはＱボタン７６の押下により行うことができる。Ｑボタンの選択がされたと判定した場合は、Ｓ３１３へ進み、そうでない場合は、Ｓ３１４へ進む。
【００５０】
Ｓ３１３では、システム制御部５０は、撮影画面に表示されるアイテムを選択可能な状態にする。例えば、ＴｖモードでやさしいＵＩを表示している場合には、図９（ａ）のように各アイテムが並んでいる状態から、図９（ｇ）のように各アイテムの設定値を変更可能な状態になる。各設定値を変更可能な状態になると、図９（ｇ）のように選択中のアイテムにはカーソル９１２が表示され、その他のアイテムには枠９２７が表示される。また、図９（ａ）においてアイテム９０２に表示されていた現在の設定値を示す指標９０２ａは、図９（ｇ）において表示形態が変わりカーソル９１８となる。カーソル９１８はオレンジ色や緑色といった設定画面９０１の背景が白色系の色に対して目立つ色となっている。ＡｖモードでやさしＵＩを表示している場合には、図１０（ａ）から図１０（ｆ）のように撮影画面に表示されるアイテムの表示形態が変更される。また、Ａｖモードで標準ＵＩで表示している場合には、図１２（ｂ）から図１２（ｃ）のように表示が変更される。
【００５１】
Ｓ３１４では、システム制御部５０は、設定変更処理を行う。設定変更処理については図４を用いて後述する。
【００５２】
Ｓ３１５では、システム制御部５０は、表示ＵＩの表示処理が終了されたか否かを判定する。表示ＵＩの表示処理は、電源のＯＦＦ、表示部２８へのライブビュー画面（ＬＶ画面、スルー画像、撮像画像）の表示、再生モードへの移動などによって終了する。
【００５３】
以上、図３において説明した実施形態によれば、ユーザはやさしいＵＩと標準ＵＩとを切り替えることができる。やさしいＵＩの撮影画面では、各モードで主に設定する設定項目（Ｔｖモードではシャッター速度、Ａｖモードでは絞り数値）を設定するためのバーを含んで表示をするので、ユーザは選択したモードにおいて、どの項目の設定値変更をすればよいのか分かる。つまり、図４で後述する標準ＵＩにおいて撮影画面での項目選択後に表示される子画面において表示されるバーと同じ機能を有するバーがやさしいＵＩの撮影画面では表示される。選択した撮影モードによりメイン設定項目が変わるが、やさしいＵＩにおいては撮影モード別にメイン設定項目の設定値を変更するためのバーやガイダンスを撮影画面に大きく表示し、ユーザが撮影モードについて学習できるようにする。また、ユーザはアイテムの示す設定項目を記憶した上でアイテムの一覧からメイン設定項目がどれかを判定しなくても、設定変更すべき値がどれか分かる。さらに、どのように設定値変更すれば撮影される画像にどのような効果があるのかまで知ることができる。一方、使い慣れたユーザにとっては、標準ＵＩではすばやくより多くの項目の設定値変更をすることができるので操作性が高くなる。
【００５４】
また、やさしいＵＩでは表示される項目数が標準ＵＩより少なく、１つ１つの項目についてガイダンスを表示するので、どの項目が何を示すのか、どの項目を選択して設定値を変更すればよいのか熟知していないユーザにとっては分かりやすい。やさしいＵＩと標準ＵＩとで共通で表示される設定項目としては、メイン設定項目と露出補正、ドライブモード、測距エリア選択モード、ＡＦ動作があり、これらについてやさしいＵＩで使い慣れておけば、標準ＵＩにステップアップしやすい。
【００５５】
また、やさしいＵＩと標準ＵＩとで操作性について一致している部分もある。共通する操作性としては撮影画面表示時のダイヤル操作によるメイン設定項目の設定値の変更が可能であること、各アイコンの表示形態、Ｑボタンの選択により各アイテムの設定値を変更可能な状態になること、後述する子画面等がある。よって、やさしいＵＩである程度学習したユーザが標準ＵＩへと円滑に切り替えることができる。
【００５６】
次に図４を用いて設定変更処理について説明する。この処理は、不揮発性メモリ５６に記録されたプログラムをシステムメモリ５２に展開してシステム制御部５０が実行することで実現する。なお、この処理は、図３のＳ３１４へ進むと開始する。
【００５７】
Ｓ４０１では、システム制御部５０は、撮影画面に表示されるアイテムが選択状態であるか否かを判定する。つまり、撮影画面に表示されるアイテムが、図９（ｇ）のように枠９２７やカーソル９１２が表示された状態（選択状態）であるか、図９（ａ）のように枠やカーソルが表示されていない状態であるか否かを判定する。アイテムが選択状態であると判定した場合は、Ｓ４０６へ進み、そうでない場合は、Ｓ４０２へ進む。
【００５８】
Ｓ４０２では、システム制御部５０は、ダイヤル操作があったか否かを判定する。ダイヤル操作とは、メイン電子ダイヤル７１、またはサブ電子ダイヤル７３への操作である。ダイヤル操作があったと判定した場合は、Ｓ４０３へ進み、そうでない場合は、設定変更処理を終了する。
【００５９】
Ｓ４０３では、システム制御部５０は、現在設定されている表示ＵＩがやさしいＵＩであるか否かを判定する。設定されている表示ＵＩがやさしいＵＩであると判定した場合は、Ｓ４０４へ進み、そうでない場合は、Ｓ４０５へ進む。
【００６０】
Ｓ４０４では、システム制御部５０は、やさしいＵＩでの設定値変更処理を行う。やさしいＵＩでの設定値変更処理については、図５を用いて後述する。
【００６１】
Ｓ４０５では、システム制御部５０は、Ｓ４０３において判定された表示ＵＩが標準ＵＩの場合であり、Ｓ４０２でダイヤル操作がされたと判定されたので、メイン設定項目の設定値を変更する。メイン設定項目とは、撮影モード毎に決められた項目であり、Ｔｖモードであればシャッター速度、Ａｖモードであれば絞り数値、Ｐモードでは露出レベル、Ｍモードであれば、シャッター速度、絞り数値、ＩＳＯ感度である。Ｔｖモード、Ａｖモード、Ｐモードでは、メイン電子ダイヤル７１でもサブ電子ダイヤル７３でもメイン設定項目の設定値が変更される。Ｍモードであれば、メイン電子ダイヤル７１への操作であればシャッター速度、サブ電子ダイヤルへの操作であれば絞り数値を変更する。ダイヤル操作を行うと、Ｔｖモードの場合は、図１２（ａ）に示すアイテム１２０２の示すシャッター速度の数値が変更され、Ａｖモードの場合は、図１２（ｂ）に示すアイテム１２１６の示す絞り数値が変更される。
【００６２】
Ｓ４０６では、システム制御部５０は、メイン設定項目に決定されたか否かを判定する。メイン設定項目にカーソルが表示された状態でＳＥＴボタン７５が押下される、もしくはタッチされるとメイン設定項目に設定項目が決定され、そうでなければ決定されていない状態であるとする。メイン設定項目に決定された状態であると判定した場合は、Ｓ４０７へ進み、そうでない場合は、Ｓ４０９へ進む。
【００６３】
Ｓ４０７では、システム制御部５０は、現在設定されている表示ＵＩがやさしいＵＩであるか否かを判定する。設定されている表示ＵＩがやさしいＵＩであると判定した場合は、Ｓ４０８へ進み、そうでない場合は、Ｓ４１０へ進む。やさしいＵＩにおいてメイン設定項目に決定されている場合には、子画面に遷移しなくても設定値の変更が可能である。一方で、やさしいＵＩでもメイン設定項目以外の項目、標準ＵＩの場合には、設定項目が決定された（カーソル表示）後は、子画面に遷移しないと設定変更がされない。メイン設定項目がやさしいＵＩにおいて決定されている状態である場合には、撮影モードがＡｖモードの場合には、図１０（ｆ）のように、カーソル９１２がメイン設定項目を示すアイテム１００２に表示される。また、Ｍモードの場合には図１１（ｂ）のように、カーソル９１２がメイン設定項目の１つであるシャッター速度のアイテム１１０２に表示される。やさしいＵＩにおいては、設定項目の非選択状態の時にダイヤル操作でメイン設定項目を設定変更可能（Ｓ４０２〜Ｓ４０５）であり、タッチ操作での設定変更はできないが、Ｓ４０６、Ｓ４０７でＹｅｓと判定されると、タッチ操作での設定変更が可能となる。なお、メイン設定項目が決定される選択状態である際に、ダイヤル操作を行うと選択する設定項目の変更操作となる。
【００６４】
Ｓ４０８では、システム制御部５０は、ダイヤル操作か、メイン設定項目を示すアイテム中のバー上でのタッチ操作が行われたか否かを判定する。図９（ｇ）のアイテム９０２のバー９１７上でのタッチやタッチムーブ操作によりカーソル９１８の位置を変更することができる。ダイヤル操作か、バー９１７上でのタッチ操作が行われたと判定した場合は、Ｓ４０４へ進み、そうでない場合は、設定変更処理を終了する。ダイヤル操作でもバー上のタッチ操作でも、表示部２８のバー上のそれぞれの位置を指示する指示操作であり、指示された位置に対応する設定値候補が選択される。バー上の各位置と各設定値の候補とは対応しており、ダイヤル操作とタッチ操作において位置を指定することにより、設定値を設定可能である。
【００６５】
Ｓ４０９では、システム制御部５０は、設定項目の決定操作がされたか否かを判定する。アイテムにカーソルが示された選択状態である場合に、もう一度タッチ操作がされる、もしくはＳＥＴボタン７５が押下されると決定操作となる。設定項目の決定操作がされたと判定された場合には、Ｓ４１０へ進み、そうでない場合は、Ｓ４１３へ進む。
【００６６】
Ｓ４１０では、システム制御部５０は、選択された設定項目の設定用子画面を表示する。Ｓ４１０は、Ｓ４０６でＮｏ、Ｓ４０７でＮｏとなった場合の処理である。つまり、やさしいＵＩのメイン設定項目以外の設定項目の選択と、標準ＵＩにおいて設定項目の選択がされた場合には、設定用子画面を表示する。やさしいＵＩの場合には、例えばアイテム９０４の示す設定項目が決定されると、図９（ｈ）に示す設定用子画面９１３が表示部２８に表示される。標準ＵＩの場合には、例えば図１２（ａ）のアイテム１２１２が設定項目として決定されると図１２（ｄ）の設定用子画面１２３３が表示部２８に表示される。やさしいＵＩの設定用子画面（図９（ｈ））においても標準ＵＩの設定用子画面（図１２（ｄ））においても、設定値を示すアイテム群９１４、設定項目名９１５、設定値名９１６が表示される。アイテム（アイテム群９１４）の配置や、表示される設定項目（設定項目名９１５）、設定値の名称（設定値名９１６）は同じである。色合いや配色はやさしいＵＩと標準ＵＩとでは異なり、やさしいＵＩは白色、標準ＵＩは黒色に近い色となっている。表示する色のみを変え、アイテムの配置や設定項目の名称を変えないようにすることにより、やさしいＵＩを使用していたユーザが標準ＵＩに切り替えた時に戸惑うことなく設定変更操作を行うことができる。
【００６７】
標準ＵＩにおいて各撮影モードにおいてメイン設定項目となる設定項目が選択され、子画面に遷移する場合について説明する。図１２（ｅ）はＡｖモードのときに、絞り数値（アイテム１２１６）が選択され子画面に遷移した場合の表示例である。図１２（ｅ）の絞り数値の設定画面１２３４には、バー１２３５が表示されており、「開ける」や「絞る」といった設定値に関するアイテム１２３６、１２３７を表示する。さらにガイダンス１２３８も表示する。ガイダンス１２３８は、絞り数値に関する、絞りを開けると背景がボケて被写体を強調でき、絞ると広い範囲にピントがあうというガイダンスであり、設定された設定値にかかわらず設定項目について説明するガイダンスである。バー１２３５上には設定可能な設定値毎に所定間隔で設定可能位置が振られている。アイテム１２３６、１２３７はやさしいＵＩのＡｖモードの設定画面（図１０（ｂ））のアイテム１００２と共に表示される１０１３、１０１４と同じく絞り数値の設定値に関するガイダンス（効果に関するガイダンスとは異なる）である。
【００６８】
Ｓ４１１では、システム制御部５０は、Ｓ４１０で表示された設定用子画面において行われた設定操作に応じて設定値を変更する。子画面においては例えば、図９（ｈ）でアイテム群９１４のうちのアイテム９１４ａがタッチまたはカーソルが当たり選択された場合には設定値が変更される。やさしいＵＩの設定用子画面である図９（ｈ）の設定用子画面９１３においても、標準ＵＩの設定用子画面である図１２（ｄ）の設定用子画面１２３３においても、アイテム群９１４中の設定値の選択により設定値の変更をすることができる。標準ＵＩの設定用子画面を示す図１２（ｅ）において、設定が設定された場合も図１２（ｃ）のアイテム１２１６の表示形態が、Ｆ４．０から例えばＦ５．６を示すものに変更される。
【００６９】
Ｓ４１２では、システム制御部５０は、Ｓ４１０において表示した設定用子画面において設定値の設定操作が終了したか否かを判定する。設定値が選択された後、ＳＥＴボタン７５の押下や、Ｑ戻るボタン９２９がタッチされると設定値の設定操作が終了したものとする。設定操作が終了したと判定するとＳ４１３へ進み、そうでない場合は、Ｓ４１１へ戻る。また、設定用子画面において設定された設定値は、設定画面９０１に反映される。例えば、アイテム９１４ａが設定用子画面９１３で選択されたとすると、図９（ａ）のアイテム９０４の表示形態から図９（ｇ）のアイテム９０４の表示形態（アイテム９１４ａの表示形態）へと替わる。Ｓ４１２における表示については、標準ＵＩにおいても同様である。
【００７０】
Ｓ４１３では、システム制御部５０は、Ｑ戻るボタンが選択されたか否かを判定する。Ｑ戻るボタンの選択は、Ｑ戻るボタンを示す表示アイテム（例えば図９（ｇ）のＱ戻るボタン９２９）へのタッチ、もしくはＱボタン７６の押下により行うことができる。Ｑ戻るボタンの選択がされたと判定した場合は、Ｓ４１４へ進み、そうでない場合は、Ｓ４１５へ進む。
【００７１】
Ｓ４１４では、システム制御部５０は、アイテムの選択状態を解除する。Ｑ戻るボタンが選択されると各アイテムが選択可能な状態が解除され、設定値の一覧画面になる。つまり、図９（ｇ）、図１２（ｃ）のカーソルや枠が表示された状態から図９（ａ）、図１２（ｂ）のカーソルや枠の表示されていない状態になる。
【００７２】
Ｓ４１５では、システム制御部５０は、カーソルの移動操作がされたか否かを判定する。カーソルの移動操作（選択する設定項目の変更操作）とは、十字キー７４の上下左右キーの押下により選択する設定項目を変更する操作や、撮影画面に表示される選択中でない設定項目をタッチする操作である。十字キー７４の操作でカーソルを移動し、さらにＳＥＴボタン７５を押下すると設定項目の決定をすることができる。やさしいＵＩにおいては、例えば図９（ｇ）においてカーソル９１２をアイテム９０２からアイテム９０４に移動させると選択する項目を変えることができる。標準ＵＩにおいては、例えば図１２（ｃ）においてカ―ソル１２３０をアイテム１２１６からアイテム１２２８へ移動させるとドライブモードを設定項目として選択することができる。タッチ操作での設定項目の変更は、やさしいＵＩにおいても標準ＵＩにおいても各設定項目を示すアイテムへのタッチ操作によって設定項目を決定することができる。設定項目の変更操作があったと判定した場合は、Ｓ４１６へ進み、そうでない場合は、Ｓ４０６に戻る。
【００７３】
Ｓ４１６では、システム制御部５０は、カーソルを移動する。カーソルの移動は例えば、図９（ｇ）のアイテム９０２にカーソルが当たっている状態から、アイテム９０４にカーソルが当たりアイテム９０２には枠が表示されるようになることである。なお、図４の各ステップにおいても撮影指示や測光指示は受付けることができる。
【００７４】
以上、図４を用いて説明した実施形態においては、ユーザはやさしいＵＩを選択した際に、メイン設定項目の設定値の変更を簡単に行うことができる。各モードのメイン設定項目は、ユーザが設定項目の選択操作を行わなくてもはじめから設定変更するためのバーと共に表示され（設定領域として表示されている）、メイン設定項目以外は子画面に入る前はバーで表示されず設定値を示すアイテムが示される。よって、やさしいＵＩにおいては撮影モードにおいて設定変更すべきメインの設定項目が分かりやすくなる。さらに、設定値と効果の関係についても把握しながらダイヤル操作やタッチ操作で設定値の変更をすることができる。メイン設定項目以外の設定項目については、設定項目を示すアイコンと共にガイダンスが表示されるので、どの項目を選択すればいいか、選択するとユーザの知らない撮影方法で撮影する必要があるのか、など分からないユーザも安心して設定変更ができる。さらに設定項目が少ないので、少しずつ設定項目について学習することができる。また、メイン設定項目以外の設定項目の設定用子画面は、やさしいＵＩでも標準ＵＩでも同じようにアイテムが表示されるので、ユーザは標準ＵＩに移行した後にも円滑に設定値の設定をすることができる。
【００７５】
次に図５を用いてやさしいＵＩでの設定値変更処理について説明する。この処理は、不揮発性メモリ５６に記録されたプログラムをシステムメモリ５２に展開してシステム制御部５０が実行することで実現する。なお、この処理は、図４のＳ４０４へ進み、やさしいＵＩにおけるメイン設定項目が選択可能な状態になった、もしくは選択可能な状態にならなくてもＳ４０４に進むと開始される。
【００７６】
Ｓ５０１では、システム制御部５０は、メイン設定項目の変更後の設定値を取得する。Ｓ４０３でＹｅｓ（Ｓ４０２でＹｅｓ）となりＳ４０４に進んだ場合、またはＳ４０８でダイヤル操作がされてＹｅｓとなりＳ４０４に進んだ場合には、行われたダイヤル操作での操作方向と操作量により変更後の設定値を取得することができる。Ｓ４０８においてタッチ操作（位置の指定操作）が行われたと判定されてＹｅｓとなりＳ４０８に進んだ場合には、行われたタッチ操作の位置（タッチダウン位置）により変更後の設定値を取得することができる。１クリック分のダイヤル操作（カーソル位置の指定操作）により設定値の変更がされた場合には、直前に設定されていた設定値から１つ隣の設定可能位置の設定値を変更後の設定値として取得する。ダイヤルの回転方向が右方向であれば、直前に設定されていた設定値から右方向に、回転方向が左方向であれば、直前に設定されていた設定値から左方向に１つ隣りの設定可能位置の設定値を取得する。例えば図９（ａ）のようにシャッター速度が１／２００秒に設定されている状態でダイヤルが左方向に設定可能位置が１つ分回転されるとシャッター速度は１／１６０秒となり、右方向に設定可能位置が１つ分回転されるとシャッター速度は１／２５０秒となる。タッチ操作で設定値の変更がされた場合には、バー９１７上のタッチダウンの位置の設定値を取得する。タッチダウンがされた後、タッチムーブがされた場合には、タッチムーブ後のバー９１７上のタッチ位置の（表示手段上のタッチ座標から取得されるタッチ位置に対応する）設定値を取得する。
【００７７】
Ｓ５０２では、システム制御部５０は、Ｓ５０１で取得した設定値の位置にカーソルまたは指標を移動する。ダイヤル操作で設定値の変更がされた場合には、図９（ａ）の設定値（１／２００）を挟むようにアイテム９０２ｂを表示し、設定値がダイヤル操作によって変更可能であることを示す。図９（ｂ）と図１０（ｂ）アイテム９２５、９２６、１００６、１００７はこのタイミングで表示してもいい。図９（ａ）、（ｂ）のアイテム９０２ｂやアイテム９２５、９２６はずっと表示していてもよいし、設定値の変更操作がされたことに応じて表示し、設定値の変更操作がされた後４秒や３秒等の所定時間が経過したことに応じて非表示にしてもよい。なお、Ｔｖモード以外のＡｖモード、Ｍモードにおいても同様にカーソルまたは指標を移動する。図４のＳ４０６でＹｅｓ（Ｓ４０８でＹｅｓ）と判定され、Ｓ５０２に進んだ場合にはカーソル９１８を、図４のＳ４０２でＹｅｓ（Ｓ４０３でＹｅｓ）と判定され、Ｓ５０２に進んだ場合には指標９０２ａを移動する。
【００７８】
Ｓ５０３では、システム制御部５０は、バー上でのタッチムーブ操作がされたか否かを判定する。タッチムーブ操作がされたと判定された場合は、Ｓ５０４へ進み、そうでない場合は、Ｓ５０６へ進む。
【００７９】
Ｓ５０４では、システム制御部５０は、現在の設定可能位置の間隔を取得する。設定可能位置の間隔について図１３を用いて説明する。図１３（ａ）〜（ｄ）は、シャッター速度、絞り数値を設定するためのバーにおける設定可能位置の間隔を説明するための図である。図１３（ａ）、（ｂ）はシャッター速度、（ｃ）、（ｄ）は絞り数値を設定するバーを示しており、区間１３０１〜区間１３０８の各区間内での設定可能位置の間隔は等しい。図１３（ａ）において、区間１３０１は３０秒≧（シャッター速度）≧１／６０秒（非推奨範囲）、区間１３０２は１／６０秒＞（シャッター速度）≧１／４００００秒（推奨範囲）を示す。図１３（ｃ）において、区間１３０３は１．０≦（絞り数値）≦１．８（推奨範囲）、区間１３０４はＦ１．８＜（絞り数値）≦Ｆ４．０（推奨範囲）、区間１３０５はＦ４．０＜（絞り数値）≦７．１（推奨範囲）を示す。区間１３０６はＦ７．１＜（絞り数値）≦１１（推奨範囲）、区間１３０７はＦ１１＜（絞り数値）≦３６（非推奨範囲）、区間１３０８はＦ３６＜（絞り数値）≦９１（非推奨範囲）を示す。区間１３０２と区間１３０３〜区間１３０５と区間１３０６は、バーが黒色で示されており、区間１３０１と区間１３０７と区間１３０８はバーがグレー（黒色と識別可能な表示形態）で示されている。つまり、推奨範囲の区間のバーの線の色は黒色で表示されており、非推奨範囲の区間のバーの線はグレーで表示され、ユーザは設定値の範囲に大きく２つありグレーの範囲の設定値も設定できるが、バーの線が黒色の範囲の設定値の方が推奨されていることが分かる。
【００８０】
図１３（ｂ）はＴｖモードのバー９１７の詳細、図１３（ｄ）はＡｖモードのバー１０１５の詳細を説明するための図である。図１３（ｂ）のバー９１７の下にはＴｖモードでの設定可能位置を説明するためのバー１３１７を示し、図１３（ｄ）のバー１０１５の下にもＡｖモードでの設定可能位置を説明するためのバー１３１５を示す。バー１３１５、１３１７に記載される点線は各設定値に対応するバー上の設定位置を示しており、例えばバー１３１７の１／２５０秒の示す点線の位置に対応するバー９１７上の位置（位置１３０９）が、設定値１／２５０秒の設定位置となる。位置１３０９にカーソルを移動すると１／２５０秒にシャッター速度が設定される。
【００８１】
また、図１３（ｂ）、（ｄ）は、図１３（ａ）、（ｂ）に示す各区間（区間１３０１〜区間１３０８）における設定可能位置の間隔と設定値の関係を示す。図１３（ａ）においては、区間１３０１における設定可能位置の間隔は（５ドット）区間１３０２における設定可能位置の間隔（１４ドット）よりも狭くなっている。つまり、非推奨範囲の設定値を示すバー上の設定可能位置の間隔は狭く、推奨範囲の設定値を示すバー上の設定可能位置の間隔は広く、推奨された範囲の設定値の方がタッチ操作における設定がしやすくなっている。区間１３０１における設定可能位置は、３０秒、２５秒、２０秒、１５秒、１３秒、１０秒、８秒、６秒、５秒、４秒、３．２秒、２．５秒、２秒、１．６秒、１．３秒・・・１／６０秒とシャッター速度の設定可能な設定値が、５ドットの間隔毎に振り当てられている。また、区間１３０２における設定可能位置は、１／８０秒、１／１００秒、１／１２５秒、１／１６０秒、１／２００秒、１／２５０秒・・・１／３２００秒、１／４０００秒とシャッター速度の設定可能な設定値が、１４ドットの間隔毎に振り当てられている。
【００８２】
図１３（ｃ）においては設定可能位置の間隔は区間１３０５（２０ドット）、１３０６／１３０７（１６ドット）、１３０４（１２ドット）、１３０３／１３０８（２ドット）の順に狭くなっていく。推奨範囲である区間１３０５は、非推奨範囲である区間１３０７や１３０８よりも設定可能位置の間隔が広くなっているが、推奨範囲である区間１３０４は非推奨範囲である区間１３０７の設定可能位置の間隔よりも狭くなっている。これは、区間１３０４は推奨範囲であるが、やさしいＵＩのユーザが使用するキットレンズ（初心者が撮影をするのに適したレンズ）のようなレンズでは区間１３０４の設定値に対応していないことが多いためである。区間１３０４における設定可能位置の間隔を区間１３０５のように広くしてしまうと、バー１０１５の長さには限界があるので、使用頻度の高い他の区間の設定可能位置の間隔を狭くすることになり、操作性が低下する可能性があるためである。同様に区間１３０３と１３０８は、上位ユーザ（プロ、ハイアマチュア）の使用するレンズにおいて対応する設定値であるため、区間１３０３においては推奨範囲であるが２ドットとしている。推奨範囲の中でも区間１３０５は、初心者に使用を特におすすめする範囲（失敗しにくい設定値の範囲）であるので区間１３０６よりも広くしている。区間１３０３における設定可能位置は、Ｆ１．０、Ｆ１．１、Ｆ１．２、Ｆ１．４、Ｆ１．６、Ｆ１．８と絞り数値の設定可能な設定値が、２ドットの間隔毎に振り当てられている。区間１３０４における設定可能位置は、Ｆ２．２、Ｆ２．５、Ｆ２．８、Ｆ３．２、Ｆ３．５と絞り数値の設定可能な設定値が、１２ドットの間隔毎に振り当てられている。区間１３０５における設定可能位置は、Ｆ４．５、Ｆ５．０、Ｆ５．６、Ｆ６．３、Ｆ７．１と絞り数値の設定可能な設定値が、２０ドットの間隔毎に振り当てられている。区間１３０６における設定可能位置は、Ｆ８．０、Ｆ９．０、Ｆ１０、Ｆ１０、Ｆ１１と絞り数値の設定可能な設定値が、１６ドットの間隔毎に振り当てられている。区間１３０７における設定可能位置は、Ｆ１３、Ｆ１４、Ｆ１６、Ｆ１８、Ｆ２０、Ｆ２２、Ｆ２５と絞り数値の設定可能な設定値が、１６ドットの間隔毎に振り当てられている。区間１３０８における設定可能位置は、Ｆ３６、Ｆ４０、Ｆ４５、Ｆ５１、Ｆ５７、Ｆ６４と絞り数値の設定可能な設定値が、２ドットの間隔毎に振り当てられている。このように本実施形態では設定可能な設定値のバー上の設定可能位置の間隔を上述するように区間によって変えている。
【００８３】
また、区間１３０３〜区間１３０６の示す推奨範囲のうち、区間１３０４（区間１３０３も）、区間１３０５、区間１３０６はそれぞれ設定可能位置の間隔だけでなく図５のＳ５０８で後述するガイダンスも異なる。なお、絞り数値やシャッター速度の場合には、１段刻みで設定可能な設定値を設けることがあるが、その場合にも１段刻みの設定値の間隔を設定値の含まれる範囲によって変える。
【００８４】
推奨範囲の設定可能位置の間隔を広くすることで、表示できるバーの長さに限りがあり、一定の距離でしかバーの長さをとれない場合でも推奨範囲の幅が広くなり、非推奨範囲の幅が狭くなる。このように推奨範囲が非推奨範囲よりも広くなるように表示することで、非推奨範囲の設定値は、推奨範囲の設定値と同じように二者択一的に選択してしまうと、撮影が失敗してしまう可能性があることを示す。これにより、ユーザが意図せず非推奨範囲の設定値（意図せず、ユーザが設定してしまうと失敗する可能性の高い設定値）を選択しにくくなるようにしている。このように、設定可能位置の間隔を変えることで、どの範囲の設定値が適正であるか、撮影に注意を要すか否かについて熟知しているわけではないユーザが意図せず非推奨範囲の設定値を選択したことにより撮影を失敗してしまう可能性が低くなる。また、シャッター速度を設定するためのバーでは、推奨範囲と非推奨範囲とで設定可能位置の間隔を同じにしてしまうと、推奨範囲の方が非推奨範囲よりも区間が狭くなってしまうが、設定可能位置の間隔を変えることで、推奨範囲の区間を広くすることができる。また、初心者のユーザが主に使用するレンズにおいて設定できないような設定値の範囲の間隔を狭くすることで使用頻度の高い設定値の範囲を設定するための範囲をより広く設けられるようにし、タッチ操作での操作性が向上するようにしている。なお、ＩＳＯ感度を示すバーにおいては設定可能位置の間隔は変えない。
【００８５】
さらに、設定値の選択をタッチムーブによるカーソル移動により行う場合には、設定可能位置の間隔が広い方が細かな調整がしやすくなる。つまり、バーの長さが限られているような場合には、あまり使用しない範囲の設定可能位置の間隔を狭くすることで、使用頻度の高い範囲の設定可能位置の間隔を広くする。よって、使用頻度の高い範囲（及び推奨範囲）においてタッチムーブで最小単位分（例えば、Ｆ５．６からＦ６．３）だけ指標を動かしたい時には、２０ドット以上４０ドット未満分、指を動かせばよい。使用頻度の高い範囲では２０ドット以上４０ドット未満であったが、非推奨範囲では１６ドット以上３２ドット未満、指を動かすと最小単位分変更（例えばＦ２０からＦ２２）するので、使用頻度の高い範囲ではより大まかな操作で１つ分指標を動かせる。その分、操作性が向上する。Ｓ５０４では、図１３（ｂ）、（ｄ）に示す設定可能位置の間隔を、もともとの設定値と、Ｓ５０３で行われたタッチムーブの方向にある設定可能位置とからその間隔を取得する。つまり、図１３（ｄ）においてＦ７．１の時にタッチムーブが右方向であればＳ５０４では１６ドット、左方向であればＳ５０４は２０ドットを取得し、Ｓ５０５において１６ドットもしくは２０ドットの距離タッチムーブがされるのを待つ。
【００８６】
図４のＳ４１０において説明をした図１２（ｅ）で表示される標準ＵＩのＡｖモードの子画面（設定画面１２３４）において、バー１２３５では設定可能位置の間隔が一定だが、やさしいＵＩの撮影画面では、推奨範囲の設定可能位置の間隔を広くしている。また、バー上の表示形態も標準ＵＩとやさしいＵＩとでは異なる。標準ＵＩのバー１２３５では、設定値の範囲によって表示形態を変えないのに対して、やさしいＵＩのバー（図１０（ａ）のアイテム１００２内のバー１０１５）では設定値の範囲により表示形態を変えている。バー１２３５は設定可能位置の間隔がやさしいＵＩの間隔αよりも広い、または同じで、設定可能な数値の一部だけが表示部２８に表示され、スクロール操作をすることにより表示する範囲を変更することができる。やさしいＵＩのバーでは設定可能な範囲の全てが一度に見える（１画面に表示される）ように表示する。やさしいＵＩでは、設定値の全体を見せることでユーザがどの辺りの設定値を選択すればよいのかをガイダンスを見ながら判定できるようにする。それに対し、標準ＵＩではユーザが明確に設定値を決めた上で設定操作を行うので、設定値が分かりやすいように設定可能位置の幅（すなわち目盛りの幅）を大きくして表示する。さらに、標準ＵＩのバー１２３５が表示される時はその他の設定項目を示すアイテムは表示部２８には表示されないが、図１０（ａ）のやさしいＵＩのバー（アイテム１００２内のバー）はアイテム９０３〜９０６と共に表示される。なお、非推奨範囲の区間のバーはグレーでなくても点線や推奨領域よりも細い線など、推奨領域の区間のバー（例えば実線）よりも目立たないような表示形態になっていればよい。
【００８７】
Ｓ５０５では、システム制御部５０は、Ｓ５０４で取得した設定可能位置の間隔分のタッチ位置の移動がされたか否かを判定する。もしくは、次の設定値に対応する位置（設定可能位置の間隔分離れたバー上の位置）をタッチしたか否かを判定する。設定可能位置の間隔分のタッチムーブがされたと判定した場合は、Ｓ５０１へ進み、そうでない場合は、設定可能位置１つ分のタッチムーブがされるまで（次の設定値に対応する位置にタッチするまで）待つ。設定可能位置の間隔分のタッチムーブがされないまま、タッチが離された場合には、Ｓ５０６へ進む。タッチムーブでの設定値の変更をした場合には、Ｓ５０５からＳ５０１へ進み、変更後の設定値を取得してカーソルを移動した後、Ｓ５０２、Ｓ５０６に進み、Ｓ５０６以降のガイダンスの表示に関する処理を行う。
【００８８】
Ｓ５０６では、システム制御部５０は、Ｓ５０１において取得した変更後の設定値の設定値群が変わったか否かを判定する。Ｓ５０６の判定は、Ｓ５０２において移動されたカーソル、指標の位置がバー上の境界線（例えば図９（ｂ）の境界線９２２）を超えたかどうかを判定する。ここで設定値群とは、バー上の境界線と境界線の間に挟まれた範囲にある複数の設定値であり、２つの同じ境界線に挟まれた設定値は同じ設定値群となる。設定値群が同じであれば、設定値に関する同一のガイダンスを表示するが、設定値群が変わると設定値に関するガイダンスが変わる。また、そもそも設定値に関するガイダンスが未表示の場合にもＳ５０６はＹｅｓとなる。設定値群が変わったと判定した場合は、Ｓ５０７へ進み、そうでない場合は、Ｓ５０９へ進む。
【００８９】
Ｓ５０７では、システム制御部５０は、現在の設定値が含まれる設定値群のガイダンス情報を取得する。
【００９０】
Ｓ５０８では、システム制御部５０は、Ｓ５０７で取得したガイダンス情報に基づいて表示部２８にガイダンスを表示する。このように撮影時の効果や注意事項が変化するたびにガイダンスを変えるので、設定値と撮影の効果や注意事項について熟知していなくても、撮影前に事前に把握し学習することができる。図９（ｂ）〜（ｆ）を用いてＴｖモードにおけるガイダンスについて説明する。
【００９１】
図９（ｂ）〜（ｆ）の撮影画面ではそれぞれシャッター速度に関するガイダンスの表示例を示している。図９（ｂ）は設定値が１／４００秒＞（シャッター速度）≧１／４０００秒（境界線９２２〜バーの端９０２ｄ）内、図９（ｃ）は設定値が１／６０秒＞（シャッター速度）≧１／４００秒（境界線９２１〜境界線９２２）内の時の設定画面を示している。さらに、図９（ｄ）は設定値が１／８秒＞（シャッター速度）≧１／６０秒（境界線９２０〜境界線９２１）内、図９（ｅ）は設定値が１．３秒＞（シャッター速度）≧１／８秒（境界線９１９〜境界線９２０）内の時の設定画面を示している。図９（ｆ）は設定値が３０秒≧（シャッター速度）≧１．３秒（バーの端９０２ｃ〜境界線９１９）内の時の設定画面と示している。図９（ｂ）のガイダンス９０７は、人や乗り物など動いているものの動きを止めた写真が撮影できる（すなわち被写体ブレが小さい）というガイダンスである。図９（ｃ）のガイダンス９０８は、一般的な撮影に適していることを示すガイダンスである。図９（ｄ）のガイダンス９０９は、流し撮りなどに適している撮影であり、手ぶれに注意が必要であることを示すガイダンス（警告）である。図９（ｅ）のガイダンス９１０は、川の流れなど流動感を表現でき（すなわち被写体ブレが大きく）、三脚の使用をおすすめすることを示すガイダンスである。図９（ｆ）のガイダンス９１１は、夜景等の撮影に適しており（すなわち光量の少ない暗い被写体の撮影に適しており）、三脚の使用をすることを示すガイダンスである。このように、シャッター速度の設定値の含まれる範囲によって、適切な撮影シーンや撮影により得られる効果、撮影時の注意事項等を表示している。
【００９２】
次に絞り数値に関するガイダンスについて図１０を用いて説明する。図１０（ｂ）〜（ｅ）の撮影画面ではそれぞれ絞り数値に関するガイダンスの表示例を示している。図１０（ｂ）はＦ１．０≦（絞り数値）≦Ｆ４．０（バーの端１００２ｃ〜境界線１００３）内、図１０（ｃ）はＦ４．０＜（絞り数値）≦Ｆ７．１（境界線１００３〜境界線１００４）内の設定画面を示している。図１０（ｄ）はＦ７．１＜（絞り数値）≦Ｆ１１（境界線１００４〜境界線１００５）内、図１０（ｅ）はＦ１１＜（絞り数値）≦Ｆ９１（境界線１００５〜バーの端１００２ｄ）内の設定画面を示している。図１０（ｂ）のガイダンス１００９は、背景をぼかした撮影ができること（すなわち被写体深度が浅いこと）を示すガイダンスである。図１０（ｃ）のガイダンス１０１０は、一般的な撮影に適していることを示すガイダンスである。図１０（ｄ）のガイダンス１０１１は、背景までくっきり写るようになること（すなわち被写体深度が深いこと）、手ぶれに注意することを示すガイダンスである。図１０（ｅ）のガイダンス１０１２は、背景がよりくっきり写るようになること（すなわち被写体深度がより深いこと）、手ぶれに注意するか三脚を使用することを示すガイダンスである。このようにＡｖの撮影画面においてもＴｖの撮影画面と同様に、絞り数値の設定値の含まれる範囲により、撮影により得られる効果や撮影時の注意事項等を表示している。また、ユーザはＴｖモードにするとシャッター速度の設定値により撮影画像の流れ具合（被写体の動きによる被写体ブレ具合）を変えるだけでなく、手ぶれに注意が必要なことや、夜景や動いているものを止めるような撮影に適していること等まで知ることができる。さらにＡｖモードにすると絞り数値の設定値により、撮影画像の背景のぼかし具合（被写界深度）を変えるだけでなく、手ぶれに注意が必要なことや三脚が必要となること等まで知ることができる。このように、やさしいＵＩでは撮影モードと効果の関係についてもユーザは学ぶことができ、撮影できる被写体の範囲や、表現の幅を広くすることができる。なお、設定可能な絞り数値の範囲は装着されたレンズによって異なる（すなわち接続される外部機器により設定可能な設定値候補の範囲が変わる）。絞り数値の最小値は、Ｆ１．０、最大値は９１まであるが、装着レンズにより設定可能できない設定値の範囲はグレーアウト（非推奨範囲よりも薄くする）する。Ｆ１１〜Ｆ９１の範囲の絞り数値は、手ブレが発生しやすく、やさしいＵＩのユーザにとっては撮影が難しいため非推奨範囲の絞り数値となる。
【００９３】
設定値の最小値と最大値の箇所に、シャッター速度であれば流すか止める、絞り数値であればぼかすやくっきりといった文字列を表示するだけでは設定値の端に近づくほど各効果が強くなることしか分からない。しかし、設定値を大まかにいくつかの撮影群に分けることで、一般的な撮影に向く設定値の範囲や、絞り数値であれば、背景がどの程度くっきり写るのか、撮影時にどのような注意が必要となるかまで詳細に把握することができる。例えば背景をくっきりさせて撮影をしたい場合、ぼかす、くっきりだけの記載だとやさしいＵＩを使うユーザは、よりくっきりさせるために絞り数値を一番大きくしてしまう可能性がある。しかし実際には、絞り数値を一番大きくしてしまうと手ぶれによる撮影の失敗になりやすく、背景をくっきりとさせられなくなる場合がある。さらに失敗の理由も分からないので、結局撮影を諦めてしまう可能性もある。しかし、どの程度の設定値範囲であれば背景をくっきりさせることができ、手ぶれに注意を要するかを記載することで、事前に手ブレを注意しながら撮影をすることができる。さらに、仮に失敗したとしても失敗の理由を事前に把握しているので、注意をしながら撮影をすることができる。さらに設定値が境界線を越える毎にガイダンスが変わるので、ユーザは設定値の設定中に、境界線を跨ぐと効果や注意事項が変わるということを認識しながら設定操作を行うことができる。現在表示中の効果を変えたくなければ、境界線を超えない範囲内でカーソルを移動すればよいし、効果（注意事項）を変えたければ一気に隣りの境界線を超えるところまでカーソルを動かせばよい。このように、ユーザにとってちょうどよい設定値に設定することを補助することができる。
【００９４】
Ｓ５０９では、システム制御部５０は、現在設定値を変更している設定項目が絞り数値であるか否かを判定する。現在設定値を変更している設定項目が絞り数値であると判定した場合は、Ｓ５１０へ進み、そうでない場合は、Ｓ５１２へ進む。
【００９５】
Ｓ５１０では、システム制御部５０は、現在設定された設定値が開放値であるか否かを判定する。開放値はレンズによって異なるが、設定可能な最も低い値のことである。開放値に近づくほど撮影される画像の背景、前景はぼける。つまり図１０（ａ）であればＦ１．８に設定されたか、図１０（ｆ）ではＦ３．５に設定されたかを判定する。開放値であると判定した場合は、Ｓ５１１へ進み、そうでない場合は、Ｓ５１２へ進む。
【００９６】
Ｓ５１１では、システム制御部５０は、ヒントガイドを表示する処理（ヒントガイド処理）を行う。ヒントガイド処理は図６を用いて後述する。
【００９７】
Ｓ５１２では、システム制御部５０は、やさしいＵＩでの設定値変更処理を終了する操作がされたか否かを判定する。やさしいＵＩでの設定値変更処理を終了する操作は、電源のＯＦＦ、Ｑ戻るボタン９２９のタッチである。Ｑ戻るボタン９２９をタッチすると、図９（ｇ）から図９（ａ）の状態の戻り、各アイテム（アイテム９０２〜９０６）は枠のついた選択可能なことを示す表示形態から、枠のついていない表示形態になる。
【００９８】
以上、図５を用いて説明した実施形態においては、推奨範囲と非推奨範囲とで設定可能位置の間隔を変えることで、推奨範囲をバー上で広くし、非推奨範囲をバー上で狭くすることで、非推奨範囲がユーザの意図せずに選択されてしまうことを抑制している。推奨範囲の設定値はタッチムーブにより設定がしやすくなる。また、設定値群毎にガイダンスが変わるので、ユーザは撮影される効果や、撮影時の注意事項についても設定値群毎に学習することができる。
【００９９】
次に図６を用いてヒントガイド処理について説明する。この処理は、不揮発性メモリ５６に記録されたプログラムをシステムメモリ５２に展開してシステム制御部５０が実行することで実現する。なお、この処理は、図５のＳ５１１へ進み、設定項目が絞り数値であり、設定された設定値が開放になったと判定された場合に開始される。
【０１００】
Ｓ６０１では、システム制御部５０は、ぼかしヒントの入り口アイテムを表示する。図１４（ａ）に示す入口アイテム１４０１は、ぼかしヒントの入り口アイテムであり、絞り数値を開放に設定した後、さらに背景をぼかしたいと考えているユーザにヒントがあることを示すアイテムである。アイテム１４０１を選択することにより、絞り数値の設定とは異なる手法で背景をぼかすためのヒントが表示される。
【０１０１】
Ｓ６０２では、システム制御部５０は、図１４（ａ）の入口アイテム１４０１が選択されたか否かを判定する。入口アイテム１４０１を選択したと判定した場合は、Ｓ６０３へ進み、そうでない場合は、処理を終了する。
【０１０２】
Ｓ６０３では、システム制御部５０は、装着レンズが短焦点レンズであるか否かを判定する。装着レンズが短焦点レンズであると判定した場合は、Ｓ６０５へ進み、そうでない場合は、Ｓ６０４へ進む。
【０１０３】
Ｓ６０４では、システム制御部５０は、入口アイテム１４０１が選択された後に表示するヒントの１つとして、焦点距離を大きくする旨のヒントを加える。図１４（ｂ）にはヒントの表示例を示しており、上述した焦点距離を大きくする旨のヒントは、ヒント１４０２としてズームを望遠側にするという記載で表示される。ヒントは最大ヒント１〜４まであり、Ｓ６０３、Ｓ６０５、Ｓ６０８、Ｓ６０９の判定結果によってヒントの数は変わる。
【０１０４】
Ｓ６０５では、システム制御部５０は、被写体距離がレンズの最短撮影距離とほぼ同じであるか否かを判定する。被写体距離がレンズの最短撮影距離とほぼ同じであると判定した場合は、Ｓ６０７へ進み、そうでない場合は、Ｓ６０６へ進む。なお、Ｓ６０５の処理は行わずに、Ｓ６０６に進みＳ６０６で示すヒントを表示してもよい。
【０１０５】
Ｓ６０６では、システム制御部５０は、入口アイテム１４０１が選択された後に表示するヒントの１つとして、被写体に近づく旨のヒントを加える。上述した焦点距離を大きくする旨のヒントは、ヒント１４０３として被写体に近づくという記載で表示される。
【０１０６】
Ｓ６０７では、システム制御部５０は、入口アイテム１４０１が選択された後に表示するヒントの１つとして、背景と被写体の距離を離す旨のヒントを加える。上述した焦点距離を大きくする旨のヒントは、ヒント１４０４として背景と被写体の距離を離すという記載で表示される。
【０１０７】
Ｓ６０８では、システム制御部５０は、装着レンズの開放絞り数値が予め定められた数値よりも大きいか否かを判定する。予め定められた数値とは例えばＦ２．８やＦ４．０である。装着レンズの開放絞り数値が予め定められた数値よりも大きいと判定した場合は、Ｓ６１０へ進み、そうでない場合は、Ｓ６０９へ進む。
【０１０８】
Ｓ６０９では、システム制御部５０は、装着レンズの焦点距離が予め定められた値よりも小さいか否かを判定する。装着レンズの焦点距離が予め定められた値よりも小さいと判定した場合は、Ｓ６１０へ進み、そうでない場合は、Ｓ６１１へ進む。
【０１０９】
Ｓ６１０では、システム制御部５０は、入口アイテム１４０１が選択された後に表示するヒントの１つとして、推奨レンズに関するヒントを加える。上述した推奨レンズに関するヒントは、ヒント１４０５として、現在使用しているレンズより、開放絞り値がより小さいレンズで、焦点距離がより長いレンズを使用すると、背景のボケは一般的に大きくなるという記載で表示される。
【０１１０】
Ｓ６１１では、システム制御部５０は、Ｓ６０４、Ｓ６０６、Ｓ６０７、Ｓ６１０において表示するヒントとして追加されたヒント（絞り数値の設定以外にぼける方法を示す文章）を表示する。ヒントがヒント１〜４まである場合には、図１４（ｃ）のようにヒント１〜４までが順番に並び、全体の一部が図１４（ｂ）のように表示部２８に表示され、上方向へのタッチムーブや下キーの押下でページ送りをすることができる。このように、絞り数値が開放になると、絞り数値の設定とは別にさらにぼけるようにするためのヒントを表示するようにする。Ｓ６１１では、絞り数値の設定ではなく、ズーム、被写体への距離、レンズの種類といったことに関するヒントを表示する。
【０１１１】
以上、図６を用いて説明した実施形態においては、絞り数値を開放に設定したユーザがさらにボケの効果をえるための方法を知ることができる。絞り数値を開放に設定したユーザは、さらにぼかしの効果をかけようとしている可能性が高い。ヒントを表示するための入り口アイテムを表示し、ぼかすためのヒントを表示可能にすることで、やさしいＵＩのユーザのように、これ以上ぼかすには何をしてよいか、そもそもぼかしの効果を他の方法で付けられるのか分からないユーザにとっては便利となる。開放まで絞り数値を設定していない場合に、入口アイテムを表示してしまうと、そもそも背景をぼかそうとしていないユーザにとっては不要な表示となってしまう。なお、開放に設定しなくても、開放側に所定数値以上連続して設定値を変更（所定量より離れた位置の設定値へ変更）した場合に入口アイテムを表示するようにしてもよい。なお、効果としてはボケの他にも流動感を出す効果などでもよい。画像に流動感を出すためのヒントとしては、動きのある被写体を選択することなどがある。絞り数値ではなく、シャッター速度が設定項目の場合には、シャッター速度が速く設定されると手ぶれを抑制できるという効果がある。手ブレを抑制する方法としては、シャッター速度の設定以外にも、三脚にカメラをおいて撮影をしたり、セルフタイマーを使用したり、リモコンを使用するなどの方法があるが、初心者のユーザには分からない可能性が高い。しかしながら、シャッター速度の設定値の画面において上述の方法をヒントとして記載することでユーザはより手ブレが抑制された画像を取得することができる。
【０１１２】
次に図７を用いて測光ガイド処理について説明する。この処理は、不揮発性メモリ５６に記録されたプログラムをシステムメモリ５２に展開してシステム制御部５０が実行することで実現する。なお、この処理は、図３のＳ３０９へ進み、測光指示がされたと判定された場合に開始される。
【０１１３】
Ｓ７０１では、システム制御部５０は、測光値を取得する。測光値は、ＡＥセンサー１７から取得することができる。
【０１１４】
Ｓ７０２では、システム制御部５０は、撮影モードが応用撮影ゾーンの撮影モードであり、露出オーバーもしくは露出アンダーであるか、いずれでもないか否かを判定する。測光した結果、設定されたシャッター速度や絞り数値では撮影する画像の明るさが、適正な明るさの範囲よりも明るくなる場合を露出オーバーと呼ぶ。一方、測光した結果、撮影する画像の明るさが、適正な明るさの範囲よりも暗くなる場合を露出アンダーと呼ぶ。露出オーバーの場合は、撮影画像が明るく白っぽくなり、露出アンダーの場合は撮影画像が暗く黒っぽくなってしまう。露出オーバーもしくは露出アンダーであると判定した場合は、Ｓ７０４へ進み、そうでない場合は、Ｓ７０３へ進む。
【０１１５】
Ｓ７０３では、システム制御部５０は、撮影モードがかんたん撮影ゾーンの撮影モードであり、シャッター速度の値が手ぶれしやすい値であるか否かを判定する。シャッター速度の値が手ぶれしやすい値であると判定した場合は、Ｓ７０４へ進み、そうでない場合は、測光ガイド処理を終了する。
【０１１６】
Ｓ７０４では、システム制御部５０は、Ｔｖアイコン、Ａｖアイコンを点滅表示することで警告をする。図１５（ａ）、（ｂ）には、Ｔｖアイコン１５０１とＡｖアイコン１５０２とが示されており、それぞれ、シャッター速度と絞り数値を示している。また、図１５（ｃ）にはＡｖアイコン１５０２が表示される。Ｓ７０４では、露出オーバーまたは露出アンダーであると判定された、もしくは手ぶれしやすいシャッター速度であると判定されたので、ＴｖアイコンとＡｖアイコンとを点滅してユーザに注意を促す。ここで図１５は測光に関するガイダンスの表示例を示す図である。
【０１１７】
Ｓ７０５では、システム制御部５０は、現在の表示ＵＩの設定がやさしいＵＩであるか否かを判定する。やさしいＵＩであると判定した場合は、Ｓ７０６へ進み、そうでない場合は、図７の処理を終了する。やさしいＵＩである場合は、Ｓ７０６以降で後述するヒントガイドや詳細ヒントを表示するが、標準ＵＩである場合には、Ｔｖアイコン、Ａｖアイコンの点滅のみが測光値に関するガイド表示となる。
【０１１８】
Ｓ７０６では、システム制御部５０は、ヒントガイドアイテムを表示部２８に表示する。図１５（ａ）〜（ｃ）に、ヒントガイドアイテム１５０３〜１５０５を示す。ヒントガイドアイテム１５０３は、Ｓ７０２において露出オーバーになると判定された時に表示され、ヒントガイドアイテム１５０４は、Ｓ７０２において露出アンダーになると判定された時に表示されるものである。さらにヒントガイドアイテム１５０５はＳ７０３において手ぶれしやすいシャッター速度であると判定された時に表示される。なお、ヒントガイドアイテム１５０３、１５０４は測光ガイド処理において表示しなくてもシャッター速度が（ＴｖモードやＭモード）で設定された場合に、直前の測光結果を用いて露出オーバーかアンダーかを判定し、ヒントガイドアイテムを表示し警告をしてもよい。
【０１１９】
Ｓ７０７では、システム制御部５０は、Ｓ７０６で表示したヒントガイドアイテムが選択されたか否かを判定する。ヒントガイドアイテムが選択されたと判定した場合は、Ｓ７０８へ進み、そうでない場合は、図７の処理を終了する。
【０１２０】
Ｓ７０８では、システム制御部５０は、詳細ヒントを表示する。詳細ヒントは、ヒントガイドアイテムが選択されたことにより表示されるものであり、ヒントガイドアイテムに記載されている注意事項（ガイド）について、どのように対処すればよいのかを示したものである。手ぶれしやすいシャッター速度であると判定された場合の詳細ヒント、すなわちヒントガイドアイテム１５０５が選択された場合には、図１５（ｅ）に示すようなヒント１５０６〜１５０９を図１５（ｄ）のように表示部２８に一部ずつ表示する。図１５（ｅ）に示すように全体の一部が表示されるので、スクロールさせることにより任意の部分を表示させることができる。露出アンダーと露出オーバーの時のヒントガイドアイテムと、撮影モード、ＩＳＯ感度設定毎の詳細ヒントは、図１６に示す。例えば、図１５（ａ）に示す設定画面９０１においてヒントガイドアイテム１５０３が表示された場合、撮影モードがＴｖモードで、設定がＩＳＯマニュアルでＩＳＯ１００だがＴｖが最速ではない場合の詳細ヒントは、図１６に記載されているものになる。つまり、「被写体が明るすぎるため、適切な明るさで撮影できません。シャッター速度を速く（もっと「止める」方向に設定）するか、ＩＳＯ感度を下げて（小さい数値に設定して）ください」と表示する。図１６の表より、撮影モード、ヒントガイドの種類（露出オーバーか露出アンダーか）、ＩＳＯ感度の設定によって、表示される詳細ヒントが変わる。
【０１２１】
以上、図７を用いて説明した実施形態においては、やさしいＵＩの場合には、測光値に関するガイド（警告）や詳細ヒント（対策）について確認することができる。やさしいＵＩのユーザは、何が警告されているのか、どのような対策をとればよいのか学習することができる。さらに標準ＵＩの時と同様にＴｖアイコンやＡｖアイコンが点滅されるので、やさしいＵＩから標準ＵＩに移行した後に、何が起こっているのか分からないという状況にはなりにくくなる。
【０１２２】
以上、説明した実施形態によれば、表示ＵＩをやさしいＵＩと標準ＵＩに切り替えることで、初心者のユーザは設定変更すべき設定項目が容易に分かり、操作に慣れたユーザも素早くいくつもの設定項目を選択できるので、操作性がよい。また、説明した実施形態によれば、設定項目の設定値の変更以外の方法で、ユーザ所望の効果のある画像を取得しやすくなる。さらに、上述の実施形態によれば、設定項目の設定値を設定する場合のユーザの操作性が向上する。また、実施形態によれば、設定値候補の中で設定されると注意を要すような設定値が、ユーザが意図しないまま設定される可能性を低減することができる。
【０１２３】
なお、本実施形態ではバー上のカーソルを移動させることで設定値を設定する例を説明したが、バー表示をせずに、全ての設定値候補を一覧表示し、その中から１つを選択でいるようにしてもよい。その場合に設定値の範囲を示す境界線はアイテムとアイテムの間に線を表示したり、アイテムの色を変えたりしてもよい。さらに上述した実施形態では撮影に関する設定項目を用いて説明をしたが、これに限らず、画像編集、文字編集、音楽編集といった場合に適用してもよい。画像編集であれば、色調調整が選択された場合には、色を決めるマトリクス（メインとなる設定項目を設定する基盤）と共にその他の設定項目（色の濃度や明暗など）をアイテムとして設定画面に表示する。画像合成が選択された場合には、合成範囲を決めるための画像（メインとなる設定値を設定するための画像）と共にその他の設定項目（切り取りの補正、ペイントなど）をアイテムとして設定画面に表示するようにする。つまり、メインとなる設定項目については、子画面に遷移しなくてもはじめからマトリクスや画像を表示し、ユーザがメイン設定項目が何か、何を設定変更すればよいか分かるようにする。標準ＵＩの場合には、色調調整であっても画像合成であっても、マトリクスや合成範囲を決めるための画像は表示されず、マトリクスを示すアイテムや合成範囲を決めることを示すアイテムを表示する。
【０１２４】
なお、システム制御部５０が行うものとして説明した上述の各種の制御は１つのハードウェアが行ってもよいし、複数のハードウェアが処理を分担することで、装置全体の制御を行ってもよい。
【０１２５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１２６】
また、上述した実施形態においては、本発明をデジタルカメラ１００に適用した場合を例にして説明したが、これはこの例に限定されず、以下の装置であれば適用可能である。すなわち、所定の設定項目を含む複数の設定項目の設定画面の表示ＵＩを切り替え可能な表示制御装置、設定値の値により撮影画像に所定の効果がかかる設定項目の設定画面の表示を制御可能な表示制御装置であれば適用可能である。さらに、設定項目を指定された位置に基づいて設定可能な画面を表示可能な表示制御装置、利用時にユーザの注意を要すような設定値が設定値候補に含まれる設定項目の設定が可能な電子機器であれば適用可能である。
【０１２７】
即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、表示部を有する家電装置等に適用可能である。
【０１２８】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018106554.tif 000003
【図２】
2018106554.tif 000004
【図３】
2018106554.tif 000005
【図４】
2018106554.tif 000006
【図５】
2018106554.tif 000007
【図６】
2018106554.tif 000008
【図７】
2018106554.tif 000009
【図８】
2018106554.tif 000010
【図９】
2018106554.tif 000011
【図１０】
2018106554.tif 000012
【図１１】
2018106554.tif 000013
【図１２】
2018106554.tif 000014
【図１３】
2018106554.tif 000015
【図１４】
2018106554.tif 000016
【図１５】
2018106554.tif 000017
【図１６】
2018106554.tif 000018